(57)【要約】【課題】輸液バッグもしくは輸液容器を覆って収納可能な遮光袋において開口部が小さく外部からの光の影響を受けることの少ない遮光袋を提供することを課題とする。【解決手段】  遮光袋は前側胴部には前側胴部から先端部を有して張り出した分岐が形成されており、分岐は、分岐の折り返し線で、前側胴部の上方に折り返し可能に前側胴部上方から連続する積層体と、前側胴部下方から連続する積層体とが重なって、側端部および先端部をシールされて形成されており、先端部のシール部は、遮光袋内側に向かって、輸液バッグもしくは輸液容器の底部の形状と嵌め合い可能に凹んだ、非シール部を有してシールされており、先端部のシール部および非シール部には、分岐の開封予定線が、輸液バッグもしくは輸液容器の、底部に設けられた吊り下げ穴を露出可能、かつ輸液バッグもしくは輸液容器の胴部の幅より狭く開口するよう設けられていることを特徴とする遮光袋。【選択図】図１
2020054694.tif 000002
【特許請求の範囲】
【請求項１】
輸液バッグもしくは輸液容器を、その内容液を導出するための口部を下、口部の反対側で吊り下げ穴を有する底部を上にして、内部に収容する遮光袋であって、
遮光袋は、遮光性を有する層を含んで、プラスチックフィルムを基材とした積層体からなり、
遮光袋は表裏から、２枚の積層体を、前側胴部、後ろ側胴部として周縁部をシールして製袋されており、
周縁部のうち下辺は輸液バッグもしくは輸液容器を遮光袋に収納した後、シールされて遮光袋は密封されており、
下辺のシール部に沿って遮光袋内側には、胴部の下辺の開封予定線が設けられており、
前側胴部には、前側胴部から先端部を有して張り出した分岐が形成されており、
分岐は、分岐の折り返し線で、前側胴部の上方に折り返し可能に前側胴部上方から連続する積層体と、前側胴部下方から連続する積層体とが重なって、側端部および先端部をシールされて形成されており、
先端部のシール部は、遮光袋内側に向かって、輸液バッグもしくは輸液容器の底部の形状と嵌め合い可能に凹んだ、非シール部を有してシールされており、
先端部のシール部および非シール部には、分岐の開封予定線が、輸液バッグもしくは輸液容器の、底部に設けられた吊り下げ穴を露出可能、かつ輸液バッグもしくは輸液容器の、胴部の幅より狭く開口するよう、設けられていることを特徴とする遮光袋。
【請求項２】
前記分岐の先端部のシール部において、分岐の開封予定線は、分岐の先端の辺に沿って、シール部と凹んだ形状の非シール部を横切って直線で設けられていることを特徴とする、請求項１に記載の遮光袋。
【請求項３】
遮光袋の胴部の下辺から上辺までの長さは、胴部の下辺から分岐の先端の辺までの長さより長いことを特徴とする、請求項１または請求項２に記載の遮光袋。
【請求項４】
前記胴部の下辺の開封予定線から、分岐の先端の開封予定線までの長さと、輸液バッグもしくは輸液容器の、口部から吊り下げ用穴までの長さとは、略同等であることを特徴とする、請求項１〜請求項３のいずれかに記載の遮光袋。
【請求項５】
前記胴部の下辺の開封予定線または分岐の先端の開封予定線、もしくはそれらの両方が、易開封機構を備えるものであることを特徴とする、請求項１〜請求項４のいずれかに記載の遮光袋。
【発明の詳細な説明】
【技術分野】
【０００１】
本発明は遮光袋に関するものである。特に医療施設などで用いられる、輸液バッグ用の遮光袋に関するものである。
【背景技術】
【０００２】
点滴用の輸液バッグ、あるいは輸液容器において、投与する際に遮光が必要になる場合がある。たとえば、紫外線によるビタミンの光分解を防止したり、光に対して不安定な薬物において、投与する際に輸液バッグ、あるいは輸液容器、さらに必要に応じて輸液経路全般への遮光が必要になる。
【０００３】
このような場合に、輸液バッグ、あるいは輸液容器への外層袋として、遮光袋を被せて使用することが行なわれている。
【０００４】
しかしながら、一般に薬液の投与は、輸液バッグ、あるいは輸液容器をフックに吊り下げて輸液のチューブを経て投与する方法がとられる。そのため、輸液バッグ、あるいは輸液容器にはフックに吊り下げるための穴が設けてある。したがって輸液バッグ、あるいは輸液容器と同様に、吊り下げのための穴を露出させるための開口部を、外層袋である遮光袋にも設ける必要がある。
【０００５】
特許文献１には、輸液バッグ用の輸液容器外層袋の提案があるが、吊り下げに際しては外層袋の上部を大きく切り取る方式であるために、開口部から外来光が輸液バックに当るおそれがあって、外来光の内容液に対する影響を遮断する目的に対しては十分とは言えず、改善が求められている。
【先行技術文献】
【特許文献】
【０００６】
【特許文献１】特開２０１１−１０４３３１号公報
【発明の概要】
【発明が解決しようとする課題】
【０００７】
本発明はかかる状況に鑑みてなされたものであり、輸液バッグもしくは輸液容器を覆って収納可能な遮光袋において、開口部が小さく、外部からの光の影響を受けることの少ない遮光袋を提供することを課題とする。
【課題を解決するための手段】
【０００８】
上記の課題を解決するための手段として、請求項１に記載の発明は、
輸液バッグもしくは輸液容器を、その内容液を導出するための口部を下、口部の反対側で吊り下げ穴を有する底部を上にして、内部に収容する遮光袋であって、
遮光袋は、遮光性を有する層を含んで、プラスチックフィルムを基材とした積層体からなり、
遮光袋は表裏から、２枚の積層体を、前側胴部、後ろ側胴部として周縁部をシールして製袋されており、
周縁部のうち下辺は輸液バッグもしくは輸液容器を遮光袋に収納した後、シールされて遮光袋は密封されており、
下辺のシール部に沿って遮光袋内側には、胴部の下辺の開封予定線が設けられており、
前側胴部には、前側胴部から先端部を有して張り出した分岐が形成されており、
分岐は、分岐の折り返し線で、前側胴部の上方に折り返し可能に前側胴部上方から連続
する積層体と、前側胴部下方から連続する積層体とが重なって、側端部および先端部をシールされて形成されており、
先端部のシール部は、遮光袋内側に向かって、輸液バッグもしくは輸液容器の底部の形状と嵌め合い可能に凹んだ、非シール部を有してシールされており、
先端部のシール部および非シール部には、分岐の開封予定線が、輸液バッグもしくは輸液容器の、底部に設けられた吊り下げ穴を露出可能、かつ輸液バッグもしくは輸液容器の、胴部の幅より狭く開口するよう、設けられていることを特徴とする遮光袋である。
【０００９】
また、請求項２に記載の発明は、
前記分岐の先端部のシール部において、分岐の開封予定線は、分岐の先端の辺に沿って、シール部と凹んだ形状の非シール部を横切って直線で設けられていることを特徴とする、請求項１に記載の遮光袋である。
【００１０】
また、請求項３に記載の発明は、
遮光袋の胴部の下辺から上辺までの長さは、胴部の下辺から分岐の先端の辺までの長さより長いことを特徴とする、請求項１または請求項２に記載の遮光袋である。
【００１１】
また、請求項４に記載の発明は、
前記胴部の下辺の開封予定線から、分岐の先端の開封予定線までの長さと、輸液バッグもしくは輸液容器の、口部から吊り下げ用穴までの長さとは、略同等であることを特徴とする、請求項１〜請求項３のいずれかに記載の遮光袋である。
【００１２】
また、請求項５に記載の発明は、
前記胴部の下辺の開封予定線または分岐の先端の開封予定線、もしくはそれらの両方が、易開封機構を備えるものであることを特徴とする、請求項１〜請求項４のいずれかに記載の遮光袋である。
【発明の効果】
【００１３】
本発明によれば、輸液バッグもしくは輸液容器を覆って収納可能な遮光袋において、開口部が小さく、外部からの光の影響を受けることの少ない遮光袋を提供することを可能である。
【００１４】
たとえば紫外線によるビタミンの光分解を防止したり、光に対して不安定な薬物において、薬液を投与するための輸液バッグ、あるいは輸液容器に対して遮光による内容物の保護が可能である。
【００１５】
特に先端部のシール部が、遮光袋内側に向かって、輸液バッグもしくは輸液容器の底部の形状と嵌め合い可能に凹んだ、非シール部を有してシールされており、先端部のシール部および非シール部には、分岐の開封予定線が、輸液バッグもしくは輸液容器の、底部に設けられた吊り下げ穴を露出可能、かつ輸液バッグもしくは輸液容器の、胴部の幅より狭く開口するよう設けられていることによって、遮光袋を開封して分岐の先端に開口部を設けた場合に、吊り下げ穴を露出させても、遮光袋は輸液バッグもしくは輸液容器の底部に密着してカバーすることが可能であって、外来光の影響をほとんど受けることのない開口部とすることができる。
【００１６】
特に請求項２に記載の発明によれば、分岐の先端部のシール部において、分岐の開封予定線は、分岐の先端の辺に沿って、シール部と凹んだ形状の非シール部を横切って直線で設けられていることによって、分岐の開封をより容易に行なうことが可能であり、また輸液バッグもしくは輸液容器を遮光しつつ、遮光袋の落下を防止することがより効率的に可能である。
【００１７】
特に請求項３に記載の発明によれば、遮光袋の胴部の下辺から上辺までの長さは、胴部の下辺から分岐の先端の辺までの長さより長いことによって、遮光袋への輸液バッグもしくは輸液容器の充填に際して輸液バッグもしくは輸液容器を一旦胴部の上辺に押し込むことができるので、より容易に行なうことができる。
【００１８】
また輸液バッグもしくは輸液容器は立体であるために、充填後の遮光袋下辺のシールに支障をきたす恐れがあるが、遮光袋の胴部の下辺から上辺までの長さが十分長いことによって、下辺のシールをより容易に安定して行なうことが可能になる。
【００１９】
特に請求項４に記載の発明によれば、胴部の下辺の開封予定線から、分岐の先端の開封予定線までの長さと、輸液バッグもしくは輸液容器の、口部から吊り下げ用穴までの長さとは、略同等であることによって、胴部の下辺の開封予定線および分岐の先端の開封予定線を切り裂いた、開封後の状態において、必要十分な遮光性と口部へのチューブの取り付けの作業のし易さを両立させた遮光袋とすることができる。
【００２０】
特に請求項５に記載の発明によれば、胴部の下辺の開封予定線または分岐の先端の開封予定線、もしくはそれらの両方が、易開封機構を備えるものであることによって、開封作業をより容易に、また安定して行なうことが可能になる。
【図面の簡単な説明】
【００２１】
【図１】図１は本発明に係る遮光袋の一実施態様の外観を説明するための平面（一部斜視および透視）模式図である。
【図２】図２は本発明に係る遮光袋の一実施態様に関して、輸液バッグもしくは輸液容器を収納する状態を説明するための、平面（一部斜視および透視）模式図である。
【図３】図３は本発明に係る遮光袋の一実施態様に関して、輸液バッグもしくは輸液容器を収納した後遮光袋下辺をシールして、遮光袋を密封した状態を説明するための、平面（一部斜視および透視）模式図である。
【図４】図４は本発明に係る遮光袋の一実施態様に関して、輸液バッグもしくは輸液容器を収納した後密封が完了して、遮光袋が開封前の状態となった状態を説明するための、平面（一部透視）模式図である。
【図５】図５は本発明に係る遮光袋の一実施態様に関して、輸液バッグもしくは輸液容器を収納、密封した後、遮光袋を開封して吊り下げ、内容液の導出を可能にした状態を説明するための、遮光袋を側面から見た断面（一部透視）模式図である。
【発明を実施するための形態】
【００２２】
以下、本発明を図１〜図５を参照しながら、更に詳しい説明を加える。ただし本発明は、ここに示す例にのみ限定されるものではない。本発明は、請求項によって限定されるものである。
【００２３】
図１は本発明に係る遮光袋の一実施態様の外観を説明するための平面（一部斜視および透視）模式図である。
【００２４】
本発明による遮光袋（１００）は、輸液バッグもしくは輸液容器（３０）を、その内容液を導出するための口部（３１）を下にして、口部（３１）の反対側で吊り下げ穴（３２）を有する底部（３５）を上にして、内部に収容する遮光袋（１００）であって、この遮光袋（１００）は、遮光性を有する層を含んで、プラスチックフィルムを基材とした積層体から構成される。
【００２５】
ここで、基材とするプラスチックフィルムは、高分子樹脂組成物からなるフィルムであ
って、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、内容液やその用途に応じて適宜選択される。
【００２６】
特にポリプロピレン、ポリエチレンテレフタレートを基材フィルムとする場合は、フィルム強度と価格においてより好ましい。また、積層体中にポリアミドフィルムを用いる場合には、耐突き刺し性や、耐衝撃性、機械強度に優れる。
【００２７】
積層体には、遮光性を有する層が含まれ、たとえばアルミニウム箔などの金属箔層、プラスチックフィルムに着色層を設けるなどした隠蔽層からなる。これによって、外来光、特に紫外線が、遮光袋（１００）内部に侵入することを回避することが可能である。
【００２８】
プラスチックフィルムに着色層を設ける方法について、特段の制約を設けるものではないが、たとえば印刷やコーティングの手法を用いて、光学的に不透明な層を形成することが可能である。
【００２９】
また、特定の波長の外来光を遮光して、内容液を保護することが可能な場合には、特定の波長に対する遮光性を有する層を設けるのでもよい。
【００３０】
また、たとえば内容物の保存性を向上させることなどを目的として、積層体中にガスバリア層を設けることができる。たとえば、プラスチックフィルムの表面にガスバリア層を設けてなるガスバリアフィルムを用いることができる。
【００３１】
ガスバリアフィルムの場合には、用いられるプラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。特にポリプロピレン、ポリエチレンテレフタレートをプラスチックフィルム基材とする場合は、フィルム強度と価格においてより好ましい。
【００３２】
ガスバリアフィルムの場合、ガスバリア層は無機化合物の蒸着層、コーティング層で構成することができ、プラスチックフィルムにアンカーコートを設けた後、蒸着層、コーティング層を順次設ける。
【００３３】
ガスバリアフィルムのアンカーコート層には、例えばウレタンアクリレートを用いることができる。アンカーコート層の形成には、樹脂を溶媒に溶解した塗料をグラビアコーティングなど印刷手法を応用したコーティング方法を用いるほか、一般に知られているコーティング方法を用いて塗膜を形成することができる。
【００３４】
蒸着層を形成する方法としては，ＳｉＯやＡｌＯなどの無機化合物を真空蒸着法を用いて、アンカーコート層を設けたプラスチックフィルム上にコーティングし、真空蒸着法による無機化合物層を形成することができる。ちなみに蒸着層の厚みは１５ｎｍ〜３０ｎｍが良い。
【００３５】
コーティング層を形成する方法としては、水溶性高分子と、（ａ）一種以上のアルコキシドまたはその加水分解物、または両者、あるいは（ｂ）塩化錫の、少なくともいずれかひとつを含む水溶液あるいは水／アルコール混合水溶液を主剤とするコーティング剤をフィルム上に塗布し、加熱乾燥してコーティング法による無機化合物層を形成しコーティング層とすることができる。このときコーティング剤にはシランモノマーを添加しておくことによってアンカーコート層との密着の向上を図ることができる。
【００３６】
無機化合物層は真空蒸着法による塗膜のみでもガスバリア性を有するが、コーティング法による無機化合物層であるコーティング層を真空蒸着法による無機化合物層である蒸着層に重ねて形成し、ガスバリア層とすることができる。
【００３７】
これら２層の複合により、真空蒸着法による無機化合物層とコーティング法による無機化合物層との界面に両層の反応層を生じるか、或いはコーティング法による無機化合物層が真空蒸着法による無機化合物層に生じるピンホール、クラック、粒界などの欠陥あるいは微細孔を充填、補強することで、緻密構造が形成される。
【００３８】
そのため、ガスバリアフィルムとしてより高いガスバリア性、耐湿性、耐水性を実現するとともに、外力による変形に耐えられる可撓性を有するため、遮光袋としての適性も具備することができる。
【００３９】
また、積層体中には製袋のためのシーラント層を設けることができる。たとえばシーラント層の材質として、熱可塑性樹脂のうちポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂を用いることができる。
【００４０】
あるいは、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等を使用することができる。
【００４１】
シーラント層の形成には、押出機などを用いて溶融した樹脂を製膜して、積層体上に層形成することができる。あるいは、あらかじめフィルムの状態に製膜してある材料を、接着剤を用いたラミネート等によって積層することによって、積層体の表面にシーラント層を形成することも可能である。
【００４２】
図１に示す例において、遮光袋（１００）は前側胴部（１）、後ろ側胴部（２）の２枚の積層体を胴部（１０）として、シーラント層同士を対向させて重ねて、上辺のシール部（４）、下辺のシール部（５）、左右両側の胴部側端部シール部（３）、すなわち矩形の周縁部をシールして製袋されている。
【００４３】
また、矩形の周縁部のうち下辺は、輸液バッグもしくは輸液容器（３０）を遮光袋（１００）に収納した後、収納口はシールされて遮光袋（１００）は密封されている。
【００４４】
前側胴部（１）には、前側胴部（１）から分岐の先端（８）を有して張り出した分岐（６）が形成されており、分岐（６）は、分岐（６）の折り返し線（１５）で、前側胴部（１）の上方に折り返し可能に、前側胴部（１）上方から連続する積層体と、前側胴部（１）下方から連続する積層体とが重なって、分岐の側端部（７）および分岐の先端（８）をシールされて、分岐先端部のシール部（１４）が形成されている。
【００４５】
分岐（６）の、分岐の先端（８）のシール部には、分岐の開封予定線（９）が、輸液バッグもしくは輸液容器（３０）の、口部（３１）とは反対側の底部（３５）に設けられた吊り下げ穴（３２）を露出可能、かつ遮光袋（１００）が輸液バッグもしくは輸液容器（３０）の胴部の幅より狭く開口するよう、設けられている。
【００４６】
また、本発明による遮光袋（１００）は、分岐先端部のシール部（１４）は、遮光袋内側に向かって、輸液バッグもしくは輸液容器（３０）の底部（３５）の形状と嵌め合い可能に凹んだ、非シール部を有してシールされている。
図１に示す例においては、分岐先端部のシール部（１４）と輸液バッグもしくは輸液容器（３０）の底部（３５）とは、台形形状で嵌め合い可能であり、輸液バッグもしくは輸液容器（３０）の、口部とは反対側の辺の端部（３３）が、斜めに直線でカットされている例であるが、必ずしも直線である必要はなく、嵌め合いが可能であれば、たとえば輸液バッグもしくは輸液容器（３０）の底部（３５）の両端部が、外側に凸となった曲線あるいは多角形の一部などであってもよい。
【００４７】
この嵌め合いが可能な形状によって、遮光袋（１００）を開封して分岐先端部のシール部（１４）に開口部を設けた場合に、輸液バッグもしくは輸液容器（３０）の底部（３５）の吊り下げ穴（３２）を露出させても、遮光袋（１００）の分岐（６）は輸液バッグもしくは輸液容器（３０）の底部（３５）に密着してカバーすることが可能であって、外来光の影響をほとんど受けることのない開口部を形成することが可能となり、すなわち遮光性に優れる遮光袋（１００）を実現することができる。
【００４８】
本発明による遮光袋（１００）の開封は、分岐の開封予定線（９）および下辺の開封予定線（１２）の２箇所で行なわれる。分岐の開封予定線（９）は分岐（６）の分岐の先端（８）に開口部を設けるものであり、下辺の開封予定線（１２）は胴部（１０）の下辺のシール部（５）に沿って遮光袋（１００）内側に設けられる。
【００４９】
すなわち、分岐の開封予定線（９）の開封によって、輸液バッグもしくは輸液容器（３０）の口部（３１）とは反対側の底部（３５）に設けられた吊り下げ穴（３２）を露出可能とするものである。また、下辺の開封予定線（１２）の開封によって、輸液バッグもしくは輸液容器（３０）の口部（３１）を露出可能とするものである。口部（３１）の露出によって、輸液バッグもしくは輸液容器（３０）の内容液の導出が可能になる。
【００５０】
図２は本発明に係る遮光袋の一実施態様に関して、輸液バッグもしくは輸液容器を収納する状態を説明するための、平面（一部斜視および透視）模式図である。
図２に示す状態において、遮光袋（１００）の矩形の周縁のシール部のうち、下辺（２０）はシールされておらず、この部分から輸液バッグもしくは輸液容器（３０）が遮光袋（１００）内に収納される。
【００５１】
収納は、内容液（３４）が充填された輸液バッグもしくは輸液容器（３０）を、矢印（４０）の方向に移動させて、輸液バッグもしくは輸液容器（３０）の口部（３１）を下にして行なわれる。口部（３１）とは反対側の底部（３５）に設けられた吊り下げ穴（３２）は、遮光袋の上辺（４）にまで近づいて収納され、続いて遮光袋の下辺（２０）がシールされ、遮光袋（１００）は密封される。
【００５２】
このとき、輸液バッグもしくは輸液容器（３０）が、矢印（４０）の方向に従って十分奥まで挿入されることによって、遮光袋下辺（２０）のシールはより容易になる。
【００５３】
すなわち、内容液（３４）を収納している輸液バッグもしくは輸液容器（３０）は、立体であるために、口部（３１）と遮光袋（１００）の下辺（２０）のシール部とが接近している場合には、下辺（２０）のシール部分にしわなどが発生するおそれがある。
【００５４】
反対に、口部（３１）とシール部までの間に間隔がある場合には、遮光袋の下辺（２０）のシール部は、立体の影響を受けにくくなり、平面としてシールすることが可能になるため、下辺（２０）のシールはより安定して容易になる。したがって、矢印（４０）による、上辺シール部（４）近くまでの移動が、下辺（２０）のより容易かつ安定的なシールに効果的である。
【００５５】
図３は本発明に係る遮光袋の一実施態様に関して、輸液バッグもしくは輸液容器を収納した後遮光袋下辺をシールして、遮光袋を密封した状態を説明するための、平面（一部斜視および透視）模式図である。
【００５６】
遮光袋（１００）内に収納され、密封された輸液バッグもしくは輸液容器（３０）は、一旦遮光袋（１００）下方に移動した後、矢印（４１）に沿って、輸液バッグもしくは輸液容器（３０）の、口部（３１）とは反対側の底部（３５）、すなわち吊り下げ穴（３２）が設けられた部分を、分岐（６）に向けて挿入される。
【００５７】
このとき、分岐先端部のシール部（１４）は、遮光袋（１００）内側に向かって、輸液バッグもしくは輸液容器（３０）の底部（３５）の形状と嵌め合い可能に凹んだ、非シール部を有してシールされているために、互いに嵌り合うことが可能である。
【００５８】
また、図３に示す例においては、開封予定線（９）が、この底部（３５）の形状と嵌め合い可能に凹んだ部分を横断して設けられているために、吊り下げ穴（３２）は、分岐の開封予定線（９）に接近した状態で、輸液バッグもしくは輸液容器（３０）は遮光袋（１００）へ収納される。
【００５９】
図４は本発明に係る遮光袋の一実施態様に関して、輸液バッグもしくは輸液容器を収納した後密封が完了して、遮光袋が開封前の状態となった状態を説明するための、平面（一部透視）模式図である
前述の通り、また図４に示す例のとおり、輸液バッグもしくは輸液容器（３０）を収納した後密封が完了して、遮光袋（１００）が開封前の状態において、輸液バッグもしくは輸液容器（３０）の吊り下げ穴（３２）は、分岐の開封予定線（９）に接近して収納されている。一方、輸液バッグもしくは輸液容器（３０）の口部（３１）は遮光袋（１００）下方、かつ下辺の開封予定線（１２）に接近している状態となる。
【００６０】
また本発明において、分岐先端部のシール部（１４）は、遮光袋（１００）内側に向かって凹んだ形状を有してシールされ、すなわち輸液バッグもしくは輸液容器（３０）の底部（３５）の形状と嵌め合い可能に凹んだ、非シール部を有してシールされる。
【００６１】
前述の通り、また図４に示す例のとおり、分岐先端部のシール部（１４）と輸液バッグもしくは輸液容器（３０）の底部（３５）とは、台形形状で嵌め合い可能であり、輸液バッグもしくは輸液容器（３０）の底部（３５）において、口部とは反対側の辺の端部（３３）が、斜めに直線でカットされている例である。
【００６２】
しかしながら、口部とは反対側の辺の端部（３３）必ずしも直線である必要はなく、分岐先端部のシール部（１４）との嵌め合いが可能であれば、たとえば輸液バッグもしくは輸液容器（３０）の底部（３５）において口部とは反対側の辺の端部（３３）が、外側に凸となった曲線や多角形の一部などであってもよい。
【００６３】
この輸液バッグもしくは輸液容器（３０）との嵌め合いが可能な、分岐先端部のシール部（１４）の形状によって、遮光袋（１００）を開封して分岐先端部のシール部（１４）に開口部を設けた場合に、吊り下げ穴（３２）を露出させても、分岐（６）は遮光袋（１００）が、輸液バッグもしくは輸液容器（３０）の底部（３５）に密着して被覆することが可能であって、外来光の影響をほとんど受けることのない開口部を形成することができ、すなわち遮光袋（１００）を実現することができる。
【００６４】
また本発明において、分岐先端部のシール部（１４）および非シール部には、分岐の開封予定線（９）が、輸液バッグもしくは輸液容器（３０）の、底部（３５）に設けられた吊り下げ穴（３２）を露出可能、かつ輸液バッグもしくは輸液容器（３０）の胴部の幅（Ｗ）より狭い開口を形成するよう、設けられる．
図４に示す例においては、分岐の開封予定線（９）は、分岐の先端（８）の辺に沿って、先端部のシール部（１４）と凹んだ形状の非シール部を横切って直線で設けられている例である。また分岐の開封予定線（９）の両端には切込みが設けてある。
【００６５】
この場合には、分岐の開封予定線（９）が直線であり、開封時には輸液バッグもしくは輸液容器（３０）の吊り下げ穴（３２）を露出させる作業を、より容易で安定したものとすることができる。
【００６６】
また、底部（３５）において、口部とは反対側の辺の端部（３３）で、分岐の開封予定線（９）によって形成される開口部の幅は、輸液バッグもしくは輸液容器（３０）の胴部の幅（Ｗ）より狭くなっている。
【００６７】
したがって、分岐の開封予定線（９）によって、遮光袋（１００）を開封して分岐の先端（８）に開口部を設けた場合に、吊り下げ穴（３２）を露出させても、本発明による遮光袋（１００）が、輸液バッグもしくは輸液容器（３０）をすり抜けて落下するおそれはない。
【００６８】
また、図４に示す例のように、遮光袋の胴部の下辺から上辺までの長さ（Ａ）は、胴部の下辺から分岐の先端の辺までの長さ（Ｂ）より長くすることができる。この場合には、輸液バッグもしくは輸液容器（３０）を収納する際には、胴部（１０）の上部まで挿入することが可能であり、遮光袋下辺（２０）のシールを、容易かつ安定して行なうことに好都合である。
【００６９】
加えて、本発明による遮光袋（１００）は、分岐の開封予定線（９）を切り裂いて開封した後、下辺の開封予定線（１２）を切り裂いて開封した際には、遮光袋の上下ともに開封後の状態でありながら、輸液バッグもしくは輸液容器（３０）を覆い隠して、必要十分な遮光性を確保することが可能であり、かつ口部（３１）へのチューブの取り付け等の作業のし易さを両立させた遮光袋（１００）とすることができる。
【００７０】
本発明において、遮光袋（１００）の開封は、分岐の開封予定線（９）および下辺の開封予定線（１２）を切り裂いて行なう。この開封は、はさみやカッターナイフなどの刃物を用いて行なうことが可能であり、また開封予定線に易開封機構を設けてある場合には、手指を用いて切り裂いて行なうことが可能であり、開封作業をより容易に行なうことができる。
【００７１】
また易開封機構は、図４に示す例にもあるとおり、分岐の開封予定線（９）の両端部の切込み（１１）、あるいは下辺の開封予定線（１２）の両端部の切込み（１３）などを開封のきっかけにすることができる。さらに、前側胴部（１）、後ろ側胴部（２）を構成する積層体にハーフカットを設けたり、プラスチックフィルムの配向性を利用するなどした、易開封機構を設けることができる。
【００７２】
易開封機構形成の手段、方法については特段の制約を設けるものではなく、適宜選択することができる。また、開封予定線は、印刷などによって、その位置を遮光袋（１００）外側から可視とすることもできる。
【００７３】
図５は本発明に係る遮光袋の一実施態様に関して、輸液バッグもしくは輸液容器を収納、密封した後、遮光袋を開封して吊り下げ、内容液の導出を可能にした状態を説明するための、遮光袋を側面から見た断面（一部透視）模式図である。
【００７４】
輸液バッグもしくは輸液容器（３０）を収納した遮光袋（１００）は、分岐の開封予定線（９）を切り裂いて開封して分岐の開口部（１６）として吊り下げ穴（３２）を露出させる。吊り下げ穴（３２）には吊り下げ具（５０）を貫通させて輸液バッグもしくは輸液容器（３０）を吊り下げる。
【００７５】
遮光袋（１００）の下辺の開封予定線（１２）を切り裂くことによって、下部の開口部（１７）を形成して、口部（３１）を露出させることができ、露出した口部（３１）には、たとえばチューブ（３６）等に接続することによって、内容液（３４）を外部に導出することができる。
【００７６】
また、胴部の下辺の開封予定線（１２）から、分岐の先端の開封予定線（９）までの長さ（Ｄ）と、輸液バッグもしくは輸液容器（３０）の、口部（３１）から吊り下げ用穴（３２）までの長さ（Ｃ）とは、略同等とすることができる。
【００７７】
仮に胴部の下辺の開封予定線（１２）から、分岐の先端の開封予定線（９）までの長さ（Ｄ）が、輸液バッグもしくは輸液容器（３０）の、口部（３１）から吊り下げ用穴（３２）までの長さ（Ｃ）に比べて長い場合には、口部（３１）の下に遮光袋の胴部（１０）が垂れ下がることになり、チューブ（３６）接続などの作業に支障をきたすおそれがある。
また、仮に胴部の下辺の開封予定線（１２）から、分岐の先端の開封予定線（９）までの長さ（Ｄ）が、輸液バッグもしくは輸液容器（３０）の、口部（３１）から吊り下げ用穴（３２）までの長さ（Ｃ）に比べて短い場合には、遮光袋の胴部（１０）から、輸液バッグもしくは輸液容器（３０）の、口部（３１）が下方に露出することになり、外来光が当たるおそれがあり、遮光性の点において不十分となるおそれがある。
【００７８】
それらがほぼ同等となる場合には、胴部の下辺の開封予定線（１２）および分岐の開封予定線（９）を切り裂いた、開封後の状態において、必要十分な遮光性と、口部（３１）へのチューブ（３６）の取り付けの作業等の容易さを両立させた遮光袋とすることができる。
【００７９】
すなわち、それらがほぼ同等となる場合には、分岐の開口部（１６）においては、最小限の開口面積で吊り下げ穴（３２）の露出を可能にしてかつ、遮光袋（１００）の落下を防止できており、下部の開口部（１７）においては、輸液バッグもしくは輸液容器（３０）の長さとほぼ同等の遮光袋（１００）の長さとすることにより、チューブ（３６）の接続など、必要な作業をより容易に安定して行なうことができる。
【００８０】
このようにして、本発明によれば、輸液バッグもしくは輸液容器（３０）を覆って収納可能な遮光袋（１００）において、開口部が小さく、外部からの光の影響を受けることの少ない遮光袋（１００）を提供することが可能である。
【実施例】
【００８１】
以下本発明を、実施例によって更に具体的な説明を加える。ただし本発明は、ここに示す例にのみ限定されるものではない。本発明は、請求項によって限定されるものである。
【００８２】
遮光袋を、実施例として本発明による遮光袋、および比較例として従来から知られてい
る遮光袋の２種類作成して、底部に吊り下げ穴を有する輸液容器を収納して、各種適性を評価した。
【００８３】
評価項目は下記のとおりである。
・遮光性
・吊り下げ性
・収納適性
・加工性
・価格
・輸送性
良好なものは〇評価とし、問題のあるものは△、もしくは×評価とした。
全ての評価項目で〇評価のものを総合評価で〇評価とした。
【００８４】
＜実施例１＞
本発明による、遮光袋であって、図４に示した形状のものである。
積層体の層構成は、無機化合物のガスバリア層を有するガスバリアフィルム、遮光層、シーラント層とした。
【００８５】
具体的な積層体の構成は、遮光袋外側から、
ポリエチレンテレフタレートフィルム／無機化合物蒸着層／遮光層／直鎖状低密度ポリエチレン樹脂
とした。
【００８６】
＜比較例１＞
従来から知られている遮光袋であって、吊り下げ穴の開封は、遮光袋上辺から、大きく丸くくりぬいて露出させるものである。
実施例１と異なり、分岐は設けていない。
積層体の層構成は、無機化合物のガスバリア層を有するガスバリアフィルム、遮光層、シーラント層とした。
【００８７】
具体的な積層体の構成は、実施例１と同様であって、遮光袋外側から、
ポリエチレンテレフタレートフィルム／無機化合物蒸着層／遮光層／直鎖状低密度ポリエチレン樹脂
とした。
【００８８】
評価結果を表１に示す。
【００８９】
【表１】
2020054694.tif 000003
【００９０】
表１に示すとおり、実施例１と比較例１において、遮光性の評価に差が出ている。これは、本発明による実施例１において、吊り下げ穴の露出のために、分岐の開封予定線を切り裂いて開口部を形成した際に、分岐先端部のシール部が、遮光袋内側に向かって、輸液バッグもしくは輸液容器の底部の形状と嵌め合い可能に凹んだ、非シール部を有してシールされており、先端部のシール部および非シール部には、分岐の開封予定線が、輸液バッグもしくは輸液容器の、底部に設けられた吊り下げ穴を露出可能、かつ輸液バッグもしくは輸液容器の、胴部の幅より狭く開口するよう、設けられていることによる効果であると考えられる。
【００９１】
一方、従来から知られている遮光袋である比較例１においては、分岐は設けられて折らず、また吊り下げ穴の露出は、遮光袋の上辺を大きく、丸く切りとって開口部を形成するものであるために、開口部への外来光の遮光が十分ではない結果となったものである。
【００９２】
このように、実施例１と比較例１を評価した結果、本発明によれば、輸液バッグもしくは輸液容器を覆って収納可能な遮光袋において、開口部が小さく、外部からの光の影響を受けることの少ない遮光袋を提供することが可能であることを検証することができた。
【符号の説明】
【００９３】
１・・・前側胴部
２・・・後ろ側胴部
３・・・胴部側端部シール部
４・・・上辺のシール部
５・・・下辺のシール部
６・・・分岐
７・・・分岐の側端部
８・・・分岐の先端
９・・・分岐の開封予定線
１０・・・胴部
１１・・・切込み
１２・・・下辺の開封予定線
１３・・・切込み
１４・・・分岐先端部のシール部
１５・・・折り返し線
１６・・・分岐の開口部
１７・・・下部の開口部
２０・・・下辺
３０・・・輸液容器
３１・・・口部
３２・・・吊り下げ穴
３３・・・口部とは反対側の辺の端部
３４・・・内容液
３５・・・底部
３６・・・チューブ
４０・・・矢印
４１・・・矢印
５０・・・吊り下げ具
１００・・・遮光袋
Ａ・・・胴部の下辺から上辺までの長さ
Ｂ・・・胴部の下辺から分岐の先端の辺までの長さ
Ｃ・・・輸液バッグもしくは輸液容器の口部から吊り下げ用穴までの長さ
Ｄ・・・下辺の開封予定線から分岐の先端の開封予定線までの長さ
Ｗ・・・胴部の幅
【図１】
2020054694.tif 000004
【図２】
2020054694.tif 000005
【図３】
2020054694.tif 000006
【図４】
2020054694.tif 000007
【図５】
2020054694.tif 000008